(57)【要約】【課題】  現在の電子書籍は、単一の小説や雑誌の内容を電子化して、関連する批評やキーワード検索結果などを、記事とともに読者に提供することに主眼を置いているため、別の雑誌との比較などの意外性や創造性に乏しく期待されたほど普及していない。【解決手段】  複数の本や雑誌に含まれる記事を、記事毎にバラバラに電子化し、著作者とは別人である制作者が、その意図する斬新な切り口で横断的に収集分類して、電子の書棚を作り読者に提供する。具体的には、複数の記事に含まれる共通の話題（テーマという）を決めて、それらのテーマに属する複数の記事の各要約情報（リードという）を作成して、テーマ別に複数のリードを拾い集めまとめた情報（串刺し情報という）即ち電子書棚を作成する。読者は興味あるテーマから属するリードを読み、気に入ったリードの元の記事を閲覧したりダウンロードしたり出来るようにする。【選択図】図１
2014120147.tif 000002
【特許請求の範囲】
【発明の詳細な説明】
【技術分野】
【０００１】  本発明は、電子データ化されたテキスト情報、静止画像情報及び動画情報の一部または全てでなる書籍情報の閲覧方法、閲覧システム及び閲覧装置、及びプログラムに関する。
【背景技術】
【０００２】  近年、様々な紙媒体によって供給されていた書籍を電子データ化して、パーソナルコンピュータ、電子書籍端末、携帯電話、スマートフォン、タブレット端末、タブレットパソコン等の通信機能付き移動型情報端末（いわゆるモバイル端末という）で閲覧できるようにした電子書籍が出版社、ＩＴベンダー、印刷会社等から提供されている。これらの電子書籍は、紙媒体の書籍では一般に活字や写真として提供されている情報を、所定の電子書籍用の端末装置によって、あたかもページが見開きの状態となっているように表示し読者に提供されるものである。【０００３】  しかしながら、現在電子書籍の閲覧上位はコミック系が占めており、小説や雑誌の電子書籍は各界が当初期待したほど普及していないというのが実態である。【０００４】  この理由の一つに読者に対する書籍情報の提供方法の問題がある。これまで紙媒体の小説や雑誌の場合には、この役割を書店が担っている。各書店が工夫を凝らした創造的で個性的な「棚展示」により、その陳列に込められた「意図」を一見して理解できるようにして、読者を惹きつけて来た。例えば各書店では、書棚に作品を作者別、類似内容別、特定テーマや話題別、更には国別、年代別、また更には入門者から上級者別等に分類して展示している。これらの展示がなされた書店に行けば、意表をつかれるような興味深い書籍に出会えるという期待感が読者を惹きつけ、年間数万点を超える新刊を生み、様々なジャンルの出版文化が醸成されて来た。【０００５】  これに対して、従来の電子書籍はあくまで、一冊の小説や、書籍単品に的を絞り内容を電子化して提供されている。提供者の努力はその枠の中で、前記モバイル端末により見易くするコンテンツを含むソフトウェアと、ハードウェアの技術開発を筆頭に、関連する批評や、キーワードによる検索機能、読者が所望する部分の抽出等のサービスを、小説や、雑誌の記事と合わせて読者に提供することに主眼が置かれている。【０００６】  例えばモバイル端末に、紙媒体の書籍と同様の紙面の画像データを、そのレイアウトを保ったまま表示する等のコンテンツ提供方法が工夫されている。またモバイル端末も表示画面を大きくすることにより、読者が紙媒体の書籍と比べて違和感がなく読めるようにする等、ハードウェアの工夫がなされている。【０００７】  しかしながら、読者が電子書籍を購入する際、多数の候補の中から所望の一冊を選択するには、モバイル端末装置により探索操作を繰り返す必要があり、多くの時間がかかりまたわずらわしいという問題が残っている。【０００８】  他の工夫では、電子書籍用のモバイル端末で読みやすい表示を行うために、表示部に一時に表示し得る最大の文字数分の範囲内で、書籍用のテキストデータを順次表示させる方法が提案されている（例えば、特許文献１参照）。【０００９】  更に他の工夫では、読者の読書履歴から、その読者の関心度の高い雑誌または記事をコンピュータが解析して、読者に試読情報を与える提案もある（例えば、特許文献２参照）。【００１０】  更に他の工夫では、１冊の電子書籍化された雑誌の目次を、もともと付属している目次に代えて、読者の興味に応じて作り直して提供する提案がなされている。具体的には、一般読者の興味のある分野に即した複数のカテゴリと、各カテゴリに関連付けられた一乃至複数の所定の単語とから構成されるカテゴリ表を予め記憶しているカテゴリ記憶手段と、電子書籍のコンテンツデータから単語を抽出する単語抽出手段と、カテゴリ記憶手段のカテゴリ表を参照することにより、単語抽出手段により抽出された単語に基づいて複数のカテゴリを設定するカテゴリ設定手段と、カテゴリ設定手段により設定された複数のカテゴリを使用して電子書籍の目次を生成する提案がなされている（例えば、特許文献３参照）。【００１１】  更に他の工夫では、小説や教科書等、記載内容が複雑で書籍コンテンツ内の構成要素、例えば小説ならシーン、登場人物等の間の関係性が理解しにくい場合に、読者の理解を支援する提案がなされている。具体的には電子書籍コンテンツを単に端末に表示するだけでなく、必要に応じて当該電子書籍コンテンツに含まれる複数の要素間の関係性を表す情報を表示可能とした電子書籍表示方法、装置及びプログラムを提供する提案がなされている（例えば、特許文献４参照）。
【特許文献１】特開２００２−１９７０８８号公報
【特許文献２】特願２０１０−２８８１９２号公報
【特許文献３】特願２０１１−４５１７２号広報
【特許文献４】特願２０１１−３２２３２号広報
【発明の開示】
【発明が解決しようとする課題】
【００１２】  しかしながら、書籍用のテキストデータを表示部に順次表示させる方法は、雑誌や新聞等のように、記事のレイアウト自体に特徴があるものには適さないという問題がある。【００１３】  また、読者の関心度をコンピュータが解析して読者に試読情報を与える方法は、「関心度分析」をコンピュータの処理プログラムによって行うため機械的となり、無味乾燥な試読情報を読者に与え兼ねないという難点がある。【００１４】  更にまた、読者の興味に応じて目次を作り直して提供する方法は、目次だけを読み内容を判断する読者が、実は興味がある記事が含まれているにもかかわらず単に目次にないというだけで、読み飛ばしてしまう誤りを防ぐためだけに留まる提案である。【００１５】  更にまた、読者に小説のシーン、登場人物等の間のコンテンツに含まれる要素間の関係性を提供する方法では、要素間の関係性はコンピュータプログラムが作成するものであり、単純な関係は正しく判定できると思われるが、推理小説のような作者が複雑な関係性によりトリックを構成するようなコンテンツでは、関係性の判断を誤る可能性がある。その上、読者自らの推理により関係性を解き明かすようなコンテンツの場合は、関係性を表示すること自体が著しく読者の興味を失わせる可能性がある提案である。【００１６】  本発明は以上のような事情に鑑みなされたもので、その目的は、単一又は複数の書籍に含まれる記事又は文（以下記事という）を読者が所望に応じて選択出来るようにして、選択した書籍の全ての記事（即ち書籍丸ごと）または書籍の一部の記事（即ち書籍の部分）を閲覧出来る電子書籍閲覧方法、電子書籍閲覧システム、電子書籍閲覧装置、及びプログラムを提供することである。【００１７】  また第二の目的は、従来書店で行われていた工夫を凝らした創造的で個性的な「棚展示」を電子的に行い、読者にその情報を前記モバイル端末で提供することにより、あたかも書店で棚展示を見るような電子書籍閲覧方法、電子書籍閲覧システム、電子書籍閲覧装置、及びプログラムを提供することである。
【課題を解決するための手段】
【００１８】  上述の課題を解決するため、本発明の主たる観点に係る電子書籍閲覧方法は、複数の本または雑誌に含まれる記事又は文を記事毎にバラバラに電子化し、本または雑誌の記事を、著作者とは別人である制作者（以下制作者という）が、その意図する斬新な切り口で横断的にそれらの記事を収集して、電子の書棚を作りこの電子書棚を読者が閲覧できる方法を提供する。【００１９】  本発明の主たる観点に係る電子書籍閲覧方法の詳細は、電子データ化されたテキスト、静止画、動画を使い分けて制作された書籍と、その電子化された書籍情報の格納手段と、その格納手段をインターネットに接続する手段と、その格納手段へのアクセス手段と、閲覧してダウンロードする手段とを有する。そして書籍情報には単一又は複数の雑誌等に含まれる記事または文章（以下記事という）と、単一又は複数の記事に含まれる共通の話題、または共通の内容、または共通の意図（以下テーマという）を、制作者が単一又は複数の書籍に含まれるそのテーマに関する単一又は複数の記事の要約情報（以下リードという）と、テーマ別に複数のリードを分類した情報（以下串刺し情報という）とが含まれるように構成する。そして、読者はアクセス手段と閲覧手段により、前記の書籍情報の中から所望のテーマを閲覧し、そのテーマに関する串刺し情報の中から所望のリードを選択的に閲覧し、そのリードの元の記事を読者の所望に従って、閲覧またはダウンロードすることが出来るようにしたことを特徴とする。
串刺し情報は、制作者の創造的意思に基づき作成するものと、事前に読者の要望を聞き製作者が作成するものとの２種に分かれるがどちらも本発明の範疇である。後者の串刺し情報の場合は、読者が自分専用の電子書棚を構成出来ることになる。【００２０】  上記電子書籍閲覧方法は、読者がアクセスする手段に、インターネット及び必要に応じてソーシャル・ネットワーキング・サービスを使用することを特徴とする。また、閲覧またはダウンロードする手段に、モバイル端末を使用することを特徴とする。また、テーマ及びテーマを含む串刺し情報と、当該串刺し情報内の複数のリードは無料で前記モバイル端末により閲覧出来るようにし、読者が所望の記事を探り当てた場合は、無料または有料で前記モバイル端末により閲覧するかダウンロードすることが出来るようにしたことを特徴とする。【００２１】  上記電子書籍閲覧方法は、例えばジャンルはスポーツで、競技はサッカー、地域は日本とヨーロッパ等の読者の嗜好を格納する手段を設け、それらの嗜好を予め該格納手段に登録することにより配信を所望する意思を表明した読者には、該嗜好に合致する書籍情報の出現時に、インターネットまたはソーシャル・ネットワーキング・サービスにより、制作した串刺し情報または串刺し情報の更新を通報するようにしたことを特徴とする。【００２２】  本発明の別の観点に係る電子書籍閲覧システムは、電子データ化されたテキスト、静止画、動画を使い分けて制作された書籍と、その電子化された書籍情報の格納手段と、その格納手段をインターネットに接続する手段と、その格納手段へのアクセス手段と、閲覧してダウンロードする手段とを有する。そしてその書籍情報には記事とテーマとリードと、串刺し情報を含むように構成する。読者はアクセス手段と、閲覧手段により、該書籍情報の中から所望のテーマを閲覧し、そのテーマに関する串刺し情報の中から所望のリードを選択的に閲覧し、そのリードの元の記事を読者の所望に従って閲覧またはダウンロードすることが出来るようにしたことを特徴とする。【００２３】  上記電子書籍閲覧システムは、読者がアクセスする手段に、インターネット及び必要に応じてソーシャル・ネットワーキング・サービスを使用することを特徴とする。また、閲覧またはダウンロードする手段に、前記モバイル端末を使用することを特徴とする。また、テーマ及びテーマを含む串刺し情報と当該串刺し情報内の複数のリードは無料で前記モバイル端末により閲覧出来るようにし、読者が所望の記事を探り当てた場合は、該記事を無料または有料で前記モバイル端末により閲覧またはダウンロードすることが出来るようにしたことを特徴とする。【００２４】  上記電子書籍閲覧システムは、例えばジャンルはスポーツで、競技はサッカー、地域は日本とヨーロッパ等の読者の嗜好を格納する手段を設け、それらの嗜好を予め該格納手段に登録することにより配信を所望する意思を表明した読者に、該嗜好に合致する書籍情報の出現時に、インターネットまたはソーシャル・ネットワーキング・サービスにより、制作した串刺し情報または串刺し情報の更新を通報するようにしたことを特徴とする。【００２５】  本発明の更に別の観点に係る電子書籍閲覧システムは、少なくとも電子データ化されたテキスト情報、静止画像情報及び動画情報を使い分けて制作された書籍と、その電子化された書籍情報の格納手段と、その格納手段をインターネットに接続する手段と、その格納手段へのアクセス手段と、閲覧及びまたはダウンロードする手段とを有し、その書籍情報には単一又は複数の書籍に含まれる記事と、テーマと、リードと、串刺し情報とが含まれるようにし、そのアクセス手段には赤外線通信及びまたは、ブルートゥース及びまたは無線ＬＡＮシステム（以下無線通信システムという）を用い、閲覧及びまたはダウンロードする手段に該無線通信システムに接続可能なモバイル端末を使用することを特徴とし、その書籍情報の中から所望のテーマをモバイル端末により閲覧し、そのテーマに関する串刺し情報の中から所望のリードを選択的にモバイル端末により閲覧し、そのリードの元の記事をモバイル端末により閲覧またはダウンロードすることが出来るようにしたことを特徴とする。【００２６】  本発明の更に別の観点に係る電子書籍閲覧システムは、前記インターネットまたはソーシャル・ネットワーキング・サービスへの接続手段と、前記格納手段及び前記無線通信システムとを当該技術分野では「セットトップボックス」と呼ばれる一体構造とし、前記無線通信システムに接続可能なモバイル端末により閲覧及びまたはダウンロードを可能にすることを特徴とする電子書籍閲覧装置でなる。【００２７】  本発明の更に別の観点に係るプログラムは、上記電子書籍閲覧システムまたは電子書籍閲覧装置、及びまたはモバイル端末が、その構成要素として有しているコンピュータに、電子書籍閲覧プロセスを実行させるステップを提供し、更に所望する読者にその嗜好に応じて、前記串刺し情報の更新情報または、更新した串刺し情報を通報するプロセスを実行させるステップを提供する。
【発明の効果】
【００２８】  以上のように、本発明による電子書籍閲覧方法、電子書籍閲覧システム、電子書籍閲覧装置、及びプログラムの効果は、従来各書店が工夫を凝らした創造的で個性的な「棚展示」の代替手段として、「串刺し情報」という仮想的な「電子書棚」を提供することにより、制作者の意図を伝え、読者を惹きつけ、電子書籍の普及を促進することである。
【発明を実施するための最良の形態】
【００２９】  以下、本発明に係る実施の形態を図面に基づき説明する。図中同一の符号は同一の機能を表す。【００３０】  図１は本発明の一実施形態に係る串刺し情報を作成する方法を示した図である。一実施例として、書籍情報が電子化された複数の雑誌により構成される場合を説明する。【００３１】  図１で、１１は各出版社Ａ、Ｂ、Ｃが発行する電子データ化された複数の雜誌、１１１、１１２、１１３は個々の雑誌Ａ、Ｂ、Ｃ、１２は前記雑誌に含まれる記事をパラバラに分解して、各々の記事の要約情報（以下リードと言う）と元の記事を組み合わせた複数の書籍情報、１２１、１２２、１２３は分解した各雑誌の書籍情報、１２４、１２５、１２６はリードＡ１、Ａ２、Ａ３、１２７、１２８、１２９は記事ａ１、ａ２、ａ３、１３は前記書籍情報に含まれる共通の話題、または共通の内容、または共通の意図（以下テーマという）別に分類された複数のリード（以下串刺し情報という）、１３３はテーマＴ１、１３４、１３５はリードＢ１、Ｎ２、１３６はテーマＴ２、１４、１５は完成した串刺し情報を示す。【００３２】  串刺し情報の制作者は、複数の雑誌１１に含ませるべき雑誌を、自分の意図に基づき出版社Ａから出版された雑誌Ａ１１１、出版社Ｂから出版された雑誌Ｂ１１２、出版社Ｎから出版された雑誌Ｎ１１３を選択する。【００３３】  続いて選択した雑誌Ａ１１１、雑誌Ｂ１１２、雑誌Ｎ１１３に含まれる記事をバラバラにして、各々の記事のリードを作り元の記事と組み合わせた書籍情報１２を作る。例えば雑誌Ａ１１１から作成されるリードと記事の組み合わせは、リードＡ１  １２４記事ａ１  １２７、リードＡ２  １２５記事ａ２  １２８、リードＡ３  １２６記事ａ３  １２９となり、書籍情報１２１を構成する。【００３４】  同様に雑誌Ｂ１１２から作成されるリードと記事の組み合わせは、リードＢ１記事ｂ１、リードＢ２記事ｂ２、リードＢ３記事ｂ３となり、書籍情報１２２を構成する。【００３５】  同様に雑誌Ｎ１１３から作成されるリードと記事の組み合わせは、リードＮ１記事ｎ１、リードＮ２記事ｎ２、リードＮ３記事ｎ３となり、書籍情報１２３を構成する。【００３６】  更に続いて制作者は、書籍情報１２に含まれる複数のリードを、自分の意図に基づき決定したテーマ別に分類し、串刺し情報１３を作成する。【００３７】  例えばテーマＴ１  １３３には、リードＡ２  １２５、リードＢ１  １３４、（途中省略）、リードＮ２  １３５が含まれるように構成しテーマＴ１  １３３に関する串刺し情報１３１を作成する。【００３８】  同様にテーマＴ２  １３６には、リードＡ１、リードＢ３、（途中省略）、リードＮ３が含まれるように構成しテーマＴ２  １３６に関する串刺し情報１３２を作成する。
もちろん、例示は省略するがひとつのリードが制作者の意図により、複数のテーマに属することも可能である。【００３９】  以上のプロセスを経て、串刺し情報１４、１５が完成する。これらの串刺し情報は、複数の雜誌記事とともにまたは、雑誌記事とは独立して格納される。【００４０】  図２は本発明の一実施形態に係る電子書籍の閲覧方法を示す図で、読者が串刺し情報の中から所望のテーマを閲覧し、そのテーマに関する所望のリードを選択的に閲覧し、そのリードの元の記事を閲覧またはダウンロードする電子書籍閲覧方法を示した図である。【００４１】  図２で２１は読者用モバイル端末、２１１は串刺し情報アクセス手段、２１２は所望のリードを選択するプロセス、２１３は前記所望のリードから元の記事を選択するプロセス、２１４は前記元の記事を閲覧またはダウンロードする手段を示す。【００４２】  読者が電子書籍を閲覧またはダウンロードしたい場合、先ず該当するテーマを想起する。続いてモバイル端末２１により、アクセス手段２１１を介して当該電子書籍に関する所望のテーマがある串刺し情報１４をアクセスする。想起したテーマと該当する串刺し情報を結びつける手段は、「キーワード検索」として当該技術分野では公知である。【００４３】  想起したテーマと該当する串刺し情報を結びつける他の手段は、関連する串刺し情報をモバイル端末に表示して、該当するテーマを読者が選択するプルダウンメニュー方式でも良い。この場合、関連する串刺し情報の選択手段としては、読者が予め嗜好テーマを登録して置き、該テーマを含む串刺し情報のみを表示しそれを読者が選択する方法がある。【００４４】  所望の串刺し情報１４に含まれるテーマ１３３から、読者は更に所望のリードＡ２  １２５をリード選択プロセス２１２により選択する。【００４５】  読者がリードＡ２  １２５を読んだ結果、当該リードの元の記事ａ２  １２８に興味があり、閲覧またはダウンロードを所望する場合は、元の記事選択プロセス２１３により選択する。選択した記事ａ２  １２８は閲覧またはダウンロード手段２１４により、閲覧またはダウンロードする。【００４６】  読者が閲覧のみとするか、またはダウンロードをするかはモバイル端末２１を操作することにより決定する。【００４７】  読者が記事ａ２  １２８を閲覧またはダウンロードする際、有料記事とするか無料記事とするかの扱いや、有料記事の場合の決済手段等の取引条件は、書籍情報提供業者と読者との間で事前に契約する。この契約方法等は「コンテンツに関する電子商取引」として公知である。この有料無料情報、取引条件は読者のモバイル顛末２１で確認できるようにする。【００４８】  図３は本発明の一実施形態に係る電子書籍閲覧システムの構成を概略的に示した図である。【００４９】  図３で３１はサーバ、３１１はサーバ３１内のコンピュータ、３１２はサーバ３１内の記憶装置、３２、３３、３４、３５は個別読者のモバイル端末、３６はサーバとインターネット網３７とのインタフェース、３７はインターネット網、３８は各モバイル端末とインターネット網３７とのインタフェースを示す。【００５０】  電子化された書籍情報は、サーバ３１内の記憶装置３１２に格納される。記憶装置３１２はイ��タフェース３６を介してインターネット網３７に接続される。読者はモバイル端末３２乃至３５により、インタフェース３８、インターネット網３７、インタフェース３６を介して記憶装置３１２に格納され書籍情報にアクセスし閲覧またはダウンロードする。【００５１】  インタフェース３６、インターネット網３７、インタフェース３８は携帯電話等無線通信事業者の無線通信ネットワークまたは光、銅線等の有線通信ネットワークのいずれでも良い。【００５２】  前記書籍情報には複数の記事と、テーマと、前記記事の要約情報であるリードと、テーマ別に前記複数のリードを分類した串刺し情報とが含まれている。【００５３】  以上述べた書籍情報の閲覧またはダウンロードは、読者が電子書籍を閲覧またはダウンロードしたい場合、先ず該当するテーマを想起することから開始している。この方法に対して、サーバ３１から読者に通報して閲覧またはダウンロードを開始する方法がある。具体的には、読者の嗜好を記憶装置３１２に登録して置く。その後制作者の操作により前記嗜好に該当する書籍情報が記憶装置３１２に作成された際に、サーバ３１から当該読者のモバイル端末３２乃至３５に、インターネット及びまたはインターネットを活用したソーシャル・ネットワーキング・サービスにより、読者の嗜好に合致する串刺し情報または串刺し情報の更新を通報するようにし、読者が閲覧またはダウンロードを開始するようにする。【００５４】  以上の電子書籍閲覧システムにより、読者は、串刺し情報から所望のテーマを閲覧し、そのテーマに関する串刺し情報の中から所望のリードを選択的に閲覧し、そのリードの元の記事を閲覧またはダウンロードすることが出来る。これらの一連のプロセスは、コンピュータ３１１と、モバイル端末３２乃至３５により実行される。【００５５】  図４は本発明の一実施形態に係る電子書籍閲覧装置の構成を概略的に示した図である。【００５６】  図４で４１は電子書籍閲覧装置、４１１はコンピュータ、４１２はローカル記憶装置、４１３は無線アクセス装置、４２は無線アクセスインタフェース、４３は電子書籍閲覧装置４１とインターネット網３７とのインタフェースを示す。
である。【００５７】  電子書籍閲覧装置４１は、モバイル端末３２乃至３５とインターネット網３７の中間に位置し、読者の利便を図るため、モバイル端末３２乃至３５とインターネット網３７との接続を赤外線通信、ブルートゥース及びまたは無線ＬＡＮシステムで実現するようにする。【００５８】  モバイル端末３２乃至３５と、電子書籍閲覧装置４１は無線アクセスインタフェース４２と無線アクセス装置４１３により接続される。【００５９】  電子書籍閲覧装置４１にあるローカル記憶装置４１２には、書籍情報の一部または全てが含まれるようにする。例えば記憶装置３１２には記事を、ローカル記憶装置４１２には串刺し情報をすることにより読者がアクセスに要する時間を短縮したり、通信料金を節約したりすることが可能である。【００６０】  また読者のモバイル端末３２乃至３５を無線通信ネットワーク経由で使用する際、無線通信事業者のサービス圏外になり勝ちな地下街や、ビル内等でも電子書籍閲覧装置４１を設置しておけばサービスを継続出来る利便性がある。【００６１】  以上の電子書籍閲覧装置により、読者は、串刺し情報から所望のテーマを閲覧し、そのテーマに関する串刺し情報の中から所望のリードを選択的に閲覧し、そのリードの元の記事を閲覧またはダウンロードすることが出来る。これらの一連のプロセスは、コンピュータ３１１、コンピュータ４１１及びモバイル端末３２乃至３５により実行される。【００６２】  図５は本発明の一実施形態に係る電子書籍閲覧プログラムの処理プロセスのフローを示す図である。なお３桁数値に付属しているＳは処理のステップを、数字は順番号を、Ｔはテーマを、Ｌはリードを、ＤＬはダウンロードを表す。【００６３】  読者がモバイル端末３２乃至３５を操作して電子書籍閲覧をスタートする（Ｓ５０１）場合、想起したテーマまたはテーマに関するキーワードを入力する（Ｓ５０２）。これに応答してコンピュータ３１１または、コンピュータ４１１は（以下コンピュータ３１１または、コンピュータ４１１の表記を省略）テーマの候補を表示する（Ｓ５０４）。読者は候補のテーマの中から所望のテーマを選択し入力する（Ｓ５０４）。これに応答して前記テーマを含む串刺し情報を表示する（Ｓ５０５）。読者は表示された串刺し情報内のリードを読み（Ｓ５０６）、所望のリードが見つかった場合は（Ｓ５０７のＹ）、そのリードを入力する（Ｓ５０８）。これに応答して（当該リードの元の記事が有料の場合と仮定すると）、購入するかどうかの確認がなされる。有料で良い場合は（Ｓ５０９のＹ）支払い認証処理が開始される（Ｓ５１２）。認証が成功すると（Ｓ５１３のＹ）、記憶装置３１２または記憶装置４１２から、モバイル端末３２乃至３５に記事のダウンロードが行われる。認証に失敗すると（５１３のＮ）、閲覧は終了する。【００６４】  引き続き前記テーマに属する他のリードを探すかどうかが問われ、探す場合は（Ｓ５１４のＹ）、リードを読むフロー（Ｓ５０６）に戻る。【００６５】  前記テーマに属する他のリードを読まない場合は（Ｓ５１４のＮ）、前記テーマとは別のテーマに属する他のリードを探すかどうかが問われ、探す場合は（Ｓ５１５のＹ）、テーマまたはキーワードを入力するフロー（Ｓ５０２）に戻る。【００６６】  所望のリードが見つからない場合は（Ｓ５０７のＮ）、前記テーマに属する他のリードを探すかどうかが問われ探す場合は（Ｓ５１０のＹ）、リードを読むフロー（Ｓ５０６）に戻る。【００６７】  前記テーマに属する他のリードを探すかどうかが問われ探さない場合は（Ｓ５１０のＮ）、前記テーマとは別のテーマに属する他のリードを探すかどうかが問われ、探す場合は（Ｓ５１１のＹ）、テーマまたはキーワードを入力するフロー（Ｓ５０２）に戻る。探さない場合は（Ｓ５１１のＮ）、閲覧は終了する。【００６８】  前記リードの元の記事は有料の場合と仮定すると、購入するかどうかの確認がなされた際、有料では不要とする場合は（Ｓ５０９のＮ）、前記テーマに属する他のリードを探すかどうかのフロー（Ｓ５１０）に進む。【００６９】  図６は本発明の一実施形態に係る通報プログラムの処理プロセスのフローを示す図である。【００７０】  この処理プロセスは読者の嗜好を予め登録することにより、配信を所望する意思を表明した読者には、該嗜好に合致する書籍情報の出現時に、串刺し情報または串刺し情報の更新を通報する。【００７１】  読者は串刺し情報または串刺し情報の更新通報を所望する場合、嗜好入力を開始する（Ｓ６１０）。嗜好入力はモバイル端末３２乃至３５を操作して行う（Ｓ６１１）。この嗜好情報は記憶装置３１２または記憶装置４１２にメールアドレス等の読者属性とともに登録される。【００７２】  制作者は串刺し情報の新規登録または更新作業を開始し（Ｓ６０１）、サーバ３１または電子書籍閲覧装置４１、またはモバイル端末３２乃至３５の１を管理者権限により操作して串刺し情報と記事を記憶装置３１２または記憶装置４１２登録する（６０２）。【００７３】  この登録に続き嗜好登録読者検索を行い、当該串刺し情報と登録嗜好が合致するかを検索し調べる（Ｓ６０３）。合致すれば（Ｓ６０４のＹ）、串刺し情報または串刺し情報の更新を当該読者に通報する（Ｓ６０５）。残りの読者の嗜好情報についても調べられ（Ｓ６０６のＮ）、検索が終了すれば（Ｓ６０６のＹ）、串刺し情報作成または串刺し情報の更新作業は終了する。
【図面の簡単な説明】
【図１】本発明の一実施形態に係る串刺し情報作成方法を概略的に示した図である。
【図２】本発明の一実施形態に係る電子書籍の閲覧方法を概略的に示した図である。
【図３】本発明の一実施形態に係る電子書籍閲覧システムの構成を概略的に示した図である。
【図４】本発明の一実施形態に係る電子書籍閲覧装置の構成を概略的に示した図である。
【図５】本発明の一実施形態に係る電子書籍閲覧プログラムの処理プロセスのフローを示した図である。
【図６】本発明の一実施形態に係る通報プログラムの処理プロセスのフローを示した図である。
【符号の説明】１１…電子データ化された雜誌
１１１、１１２、１１３…雑誌
１２…複数の書籍情報
１２１、１２２、１２３…分解した書籍情報
１２４、１２５、１２６…リード
１２７、１２８、１２９…記事
１３…串刺し情報
１３３…テーマ
１３４、１３５…リード
１３６…テーマ
１４…完成した串刺し情報
１５…完成した串刺し情報
２１…読者用モバイル端末
２１１…串刺し情報アクセス手段
２１２…リード選択プロセス
２１３…リードから元の記事を選択するプロセス
２１４…元の記事の閲覧またはダウンロード手段
３１…サーバ
３１１…コンピュータ
３１２…記憶装置
３２、３３、３４、３５…モバイル端末
３６…サーバとインターネット網のインタフェース
３７…インターネット網
３８…モバイル端末とインターネット網のインタフェース
４１…電子書籍閲覧装置
４１１…コンピュータ
４１２…ローカル記憶装置
４１３…無線アクセス装置
４２…無線アクセスインタフェース
４３…電子書籍閲覧装置とインターネット網のインタフェース
【図１】
2014120147.tif 000003
【図２】
2014120147.tif 000004
【図３】
2014120147.tif 000005
【図４】
2014120147.tif 000006
【図５】
2014120147.tif 000007
【図６】
2014120147.tif 000008
【手続補正書】
【提出日】平成25年3月6日(2013.3.6)
【手続補正１】
【補正対象書類名】特許請求の範囲
【補正対象項目名】全文
【補正方法】変更
【補正の内容】
【特許請求の範囲】
【請求項１】
少なくとも電子データ化されたテキスト情報、静止画像情報及び動画情報の一部または全てでなる書籍情報と、該電子化された書籍情報の格納手段と、該格納手段をインターネットに接続する手段と、該格納手段へのアクセス手段と、閲覧及びまたはダウンロードする手段とを有し、該書籍情報には単一又は複数の書籍に含まれる記事又は文（以下記事という）と、単一又は複数の記事に含まれる共通の話題、または共通の内容、または共通の意図（以下テーマという）と、単一又は複数の書籍に含まれる該テーマに関する単一又は複数の記事の要約情報（以下リードという）と、該テーマ別に複数のリードを分類した情報（以下串刺し情報という）とが含まれるようにし、該アクセス手段と、該閲覧及びまたはダウンロードする手段により、該書籍情報の中から所望のテーマを閲覧し、該テーマに関する該串刺し情報の中から所望のリードを選択的に閲覧し、該リードの元の記事を閲覧またはダウンロードすることが出来るようにしたことを特徴とする電子書籍閲覧方法。
【請求項２】
請求項１記載の電子書籍閲覧方法であって、前記アクセスする手段に、インターネット及びまたはインターネットを活用したソーシャル・ネットワーキング・サービスを使用することを特徴とし、前記閲覧及びまたはダウンロードする手段にパーソナルコンピュータ、電子書籍端末、携帯電話、スマートフォン、タブレット端末、タブレットパソコン等の通信機能付き移動型情報端末（以下モバイル端末という）を使用することを特徴とし、前記テーマ及び串刺し情報及び、前記串刺し情報内の複数の前記リードは無料で該モバイル端末により閲覧出来るようにし、所望の記事は無料または有料で該モバイル端末により閲覧またはダウンロードすることが出来るようにしたことを特徴とする電子書籍閲覧方法。
【請求項３】
請求項２記載の電子書籍閲覧方法であって、前記格納手段に読者の嗜好を格納する手段を有するようにし、該読者の嗜好を予め該格納手段に登録することにより配信を希望する意思を表明した読者には、該嗜好に合致する前記書籍情報の出現時に、前記インターネット及びまたはインターネットを活用したソーシャル・ネットワーキング・サービスにより、前記串刺し情報または串刺し情報の更新を通報するようにしたことを特徴とする電子書籍閲覧方法。
【請求項４】
少なくとも電子データ化されたテキスト情報、静止画像情報及び動画情報の一部または全てでなる書籍情報と、該電子化された書籍情報の格納手段と、該格納手段をインターネットに接続する手段と、該格納手段へのアクセス手段と、閲覧及びまたはダウンロードする手段とを有し、該書籍情報には単一又は複数の書籍に含まれる記事又は文（以下記事という）と、単一又は複数の記事に含まれる共通の話題、または共通の内容、または共通の意図（以下テーマという）と、単一又は複数の書籍に含まれる該テーマに関する単一又は複数の記事の要約情報（以下リードという）と、該テーマ別に複数の該リードを分類した情報（以下串刺し情報という）とが含まれるようにし、該アクセス手段と、閲覧手段により、該書籍情報の中から所望のテーマを閲覧し、該テーマに関する串刺し情報の中から所望のリードを選択的に閲覧し、該リードの元の記事を閲覧またはダウンロードすることが出来るようにしたことを特徴とする電子書籍閲覧システム。
【請求項５】
請求項４記載の電子書籍閲覧システムであって、前記アクセスする手段に、前記インターネット及びまたはインターネットを活用したソーシャル・ネットワーキング・サービスを使用することを特徴とし、前記閲覧及びまたはダウンロードする手段にパーソナルコンピュータ、電子書籍端末、携帯電話、スマートフォン、タブレット端末、タブレットパソコン等の通信機能付き移動型情報端末（以下モバイル端末というという）を使用することを特徴とし、前記テーマ及び前記串刺し情報及び、当該串刺し情報内の複数のリードは無料で該モバイル端末により閲覧出来るようにし、所望の記事は無料または有料で該モバイル端末により閲覧またはダウンロードすることが出来るようにしたことを特徴とする電子書籍閲覧システム。
【請求項６】
請求項５記載の電子書籍閲覧システムであって、前記格納手段に読者の嗜好を格納する手段を有するようにし、該読者の嗜好を予め該格納手段に登録することにより配信を希望する意思を表明した読者には、該嗜好に合致する書籍情報の出現時に、前記インターネット及びまたはインターネットを活用したソーシャル・ネットワーキング・サービスにより、前記串刺し情報または串刺し情報の更新を通報するようにしたことを特徴とする電子書籍閲覧システム。
【請求項７】
少なくとも電子データ化されたテキスト情報、静止画像情報及び動画情報の一部または全てでなる書籍情報と、該電子化された書籍情報の格納手段と、該格納手段をインターネットに接続する手段と、該格納手段へのアクセス手段と、閲覧及びまたはダウンロードする手段とを有し、該書籍情報には単一又は複数の書籍に含まれる記事又は文（以下記事という）と、単一又は複数の記事に含まれる共通の話題、または共通の内容、または共通の意図（以下テーマという）と、単一又は複数の書籍に含まれる該テーマに関する単一又は複数の記事の要約情報（以下リードという）と、該テーマ別に複数のリードを分類した情報（以下串刺し情報という）とが含まれるようにし、該アクセス手段には赤外線通信及びまたは、ブルートゥース及びまたは無線ＬＡＮシステム（以下無線通信システムという）を用い、閲覧及びまたはダウンロードする手段に該無線通信システムに接続可能なパーソナルコンピュータ、電子書籍端末、携帯電話、スマートフォン、タブレット端末、タブレットパソコン等の通信機能付き移動型情報端末（以下モバイル端末という）を使用することを特徴とし、該書籍情報の中から所望のテーマを該モバイル端末により閲覧し、該テーマに関する串刺し情報の中から所望のリードを選択的に該モバイル端末により閲覧し、該リードの元の記事を該モバイル端末により閲覧またはダウンロードすることが出来るようにしたことを特徴とする電子書籍閲覧システム。
【請求項８】
少なくとも電子データ化されたテキスト情報、静止画像情報及び動画情報の一部または全てでなる書籍情報と、該電子化された書籍情報の格納手段と、該格納手段をインターネットに接続する手段と、該格納手段へのアクセス手段と、閲覧及びまたはダウンロードする手段とを有し、該書籍情報には単一又は複数の書籍に含まれる記事又は文（以下記事という）と、単一又は複数の記事に含まれる共通の話題、または共通の内容、または共通の意図（以下テーマという）と、単一又は複数の書籍に含まれる該テーマに関する単一又は複数の記事の要約情報（以下リードという）と、該テーマ別に複数のリードを分類した情報（以下串刺し情報という）とが含まれるようにし、該アクセス手段には赤外線通信、ブルートゥース及びまたは無線ＬＡＮシステム（以下無線通信システムという）を用い、該閲覧及びまたはダウンロードする手段に該無線通信システムに接続可能なパーソナルコンピュータ、電子書籍端末、携帯電話、スマートフォン、タブレット端末、タブレットパソコン等の通信機能付き移動型情報端末（以下モバイル端末という）を使用することを特徴とし、該書籍情報の中から所望のテーマを該モバイル端末により閲覧し、該テーマに関する串刺し情報の中から所望のリードを選択的に該モバイル端末により閲覧し、該リードの元の記事を該モバイル端末により閲覧またはダウンロードすることが出来るようにしたことを特徴とする電子書籍閲覧システムであって、該インターネットへの接続手段、該格納手段及び該無線通信システムとを一体構造とし、該無線通信システムに接続可能な該モバイル端末により閲覧及びまたはダウンロードを可能にすることを特徴とする電子書籍閲覧装置。
【請求項９】
請求項４乃至請求項８のいずれかに記載の電子書籍閲覧システムまたは電子書籍閲覧装置であって、前記電子書籍閲覧システムまたは前記電子書籍閲覧装置が備えるコンピュータに、前記閲覧及びまたはダウンロードプロセスを実行させるプログラム。